(57)【要約】【課題】支持強度が高く、且つ美観に優れた移動間仕切装置を提供する。【解決手段】天井に設けられる誘導路３に吊支部材９，９を介して吊支され、誘導路３に沿って移動可能な複数の間仕切パネル１，１，…を連接させて空間を仕切る移動間仕切装置１０であって、間仕切パネル１は、パネル部材４と、パネル部材４の上下方向に亘って延び、パネル部材４の側端縁に沿って配置される一対のパネル支持体７，７と、パネル部材４の上端縁に沿って配置される上部横フレーム６と、を備え、パネル支持体７，７の上端部が上部横フレーム６の長手方向内側に支持されている。【選択図】図６
2019135365.tif 000002
【特許請求の範囲】
【請求項１】
天井に設けられる誘導路に吊支部材を介して吊支され、前記誘導路に沿って移動可能な複数の間仕切パネルを連接させて空間を仕切る移動間仕切装置であって、
前記間仕切パネルは、パネル部材と、前記パネル部材の上下方向に亘って延び、該パネル部材の側端縁に沿って配置される一対のパネル支持体と、前記パネル部材の上端縁に沿って配置される上部横フレームと、を備え、
前記パネル支持体の上端部が前記上部横フレームの長手方向内側に支持されていることを特徴とする移動間仕切装置。
【請求項２】
前記パネル支持体は、前記上部横フレームに対して該上部横フレームの長手方向に延びるネジで固定されていることを特徴とする請求項１に記載の移動間仕切装置。
【請求項３】
前記パネル部材は、透光性を有し、間隔をおいて対向して一対配置されており、前記パネル支持体は、板状を成し、一対の前記パネル部材間に配置されていることを特徴とする請求項１または２に記載の移動間仕切装置。
【請求項４】
一対の前記パネル部材と前記パネル支持体とは、上下方向に延びる粘着材により固着されていることを特徴とする請求項３に記載の移動間仕切装置。
【請求項５】
前記上部横フレームの長手方向には、一対の前記パネル部材の上端縁を収容する溝部が設けられていることを特徴とする請求項３または４に記載の移動間仕切装置。
【発明の詳細な説明】
【技術分野】
【０００１】
本発明は、オフィス、会議室、ショールーム、店舗等の室内を所定の区画に仕切って使用するための移動間仕切装置に関する。
【背景技術】
【０００２】
オフィス、会議室、ショールーム、店舗等の室内は、天井に設けられたレールに吊支され、該レールに沿って移動可能な間仕切パネルを連接して所定の区画に仕切って、所望の小区画のレイアウトを実現している。このような移動間仕切装置にあっては、連接される間仕切パネルにより室内が天井から床に亘って仕切られ閉塞感を与えることがあるため、間仕切パネルを構成するパネル材にガラス板等の透光パネル部材を用いて室内空間に開放感を演出するものが知られている（特許文献１参照）。
【０００３】
特許文献１に示される移動間仕切装置は、間仕切パネルの厚み方向に対向して配設される一対の透光パネル部材と、一対の透光パネル部材の周囲を取り囲むいわゆる四方枠形状の枠体と、を備えている。枠体は、一対の透光パネル部材の上辺に沿って配置される上部横フレームと、一対の透光パネル部材の下辺に沿って配置される下部横フレームと、一対の透光パネル部材の両側辺に沿って配置される一対の縦フレームと、から構成され、一対の透光パネル部材の荷重を支持しており、吊支部材によりレールに吊支されている。
【０００４】
また、枠体は、上部横フレーム及び下部横フレームの長手方向側端まで一対の縦フレームを延ばして配置し、一対の縦フレームと上部横フレーム及び下部横フレームとを上部横フレーム及び下部横フレームの長手方向からネジにより連結する構造であり、透光パネル部材の荷重に対してネジが直交する方向に延びるため、透光パネル部材の荷重を確実に支持するようになっている。
【先行技術文献】
【特許文献】
【０００５】
【特許文献１】特開２０１７−２５８０号公報（第５頁、第１図）
【発明の概要】
【発明が解決しようとする課題】
【０００６】
しかしながら、特許文献１にあっては、一対の縦フレームを上部横フレーム及び下部横フレームの長手方向側端まで延ばして配置してネジ固定しているため、透光パネル部材の荷重に対する支持強度に優れているものの、間仕切パネルを連接したときに、隣接する上部横フレーム同士の間には２つの縦フレームが介在し、縦フレームにより分断された印象を与えられるため、美観を損う虞があった。
【０００７】
本発明は、このような問題点に着目してなされたもので、支持強度が高く、且つ美観に優れた移動間仕切装置を提供することを目的とする。
【課題を解決するための手段】
【０００８】
前記課題を解決するために、本発明の移動間仕切装置は、
天井に設けられる誘導路に吊支部材を介して吊支され、前記誘導路に沿って移動可能な複数の間仕切パネルを連接させて空間を仕切る移動間仕切装置であって、
前記間仕切パネルは、パネル部材と、前記パネル部材の上下方向に亘って延び、該パネル部材の側端縁に沿って配置される一対のパネル支持体と、前記パネル部材の上端縁に沿って配置される上部横フレームと、を備え、
前記パネル支持体の上端部が前記上部横フレームの長手方向内側に支持されていることを特徴としている。
この特徴によれば、パネル支持体の上端部を上部横フレームに対して横方向から固定または係止できるため、高い支持強度でパネル部材を支持できるとともに、上部横フレームによりパネル支持体の上端部がカバーされ、間仕切パネルを連接したときに、隣接する上部横フレームの長手方向の端部同士が連接することとなるので美観に優れる。
【０００９】
前記パネル支持体は、前記上部横フレームに対して該上部横フレームの長手方向に延びるネジで固定されていることを特徴としている。
この特徴によれば、垂直方向にかかるパネル部材の荷重がネジに直交方向に作用するため支持強度が高い。
【００１０】
前記パネル部材は、透光性を有し、間隔をおいて対向して一対配置されており、前記パネル支持体は、板状を成し、一対の前記パネル部材間に配置されていることを特徴としている。
この特徴によれば、パネル部材の透光領域を広く見せることができる。
【００１１】
一対の前記パネル部材と前記パネル支持体とは、上下方向に延びる粘着材により固着されていることを特徴としている。
この特徴によれば、高い支持強度で且つ簡単な構造でパネル支持体と一対のパネル部材とを一体化できる。
【００１２】
前記上部横フレームの長手方向には、一対の前記パネル部材の上端縁を収容する溝部が設けられていることを特徴としている。
この特徴によれば、一対のパネル部材が離間または近接する方向に移動することを防止できる。
【図面の簡単な説明】
【００１３】
【図１】本発明の実施例における移動間仕切装置を示す正面図である。
【図２】間仕切パネルの構造を示す分解斜視図である。
【図３】上部閉塞部材及び下部閉塞部材の収納状態を示す縦断面図である。
【図４】上部閉塞部材及び下部閉塞部材の閉塞状態を示す縦断面図である。
【図５】上部フレームと縦フレームとの連結構造を拡大して示した分解斜視図である。
【図６】（ａ）は上部フレームと縦フレームとの連結構造を拡大して示した上面図、（ｂ）は同じく側面図である。
【図７】縦フレームによるガラスパネルの支持構造を示す上面視における断面図である。
【図８】縦フレームによるガラスパネルの支持構造を示す正面視における模式図である。
【図９】間仕切パネルの変形例を示す正面視における模式図である。
【発明を実施するための形態】
【００１４】
本発明に係る間仕切パネルを実施するための形態を実施例に基づいて以下に説明する。
【実施例】
【００１５】
実施例に係る間仕切パネルにつき、図１から図８を参照して説明する。以下、図１の紙面手前側及び図３の紙面右側を移動間仕切装置の正面側（前方側）とし、その前方側から見たときの上下左右方向を基準として説明する。
【００１６】
間仕切パネル１は、例えば、オフィス、会議室、ショールーム、店舗等の建物内の室内を所定の区画に仕切るために用いられるものであり、図１に示されるように、本実施例では、複数の間仕切パネル１，１，…を組み合わせて移動間仕切装置１０を構成している。
【００１７】
移動間仕切装置１０は、室内空間の天井面Ｒに設けられるレール３（誘導路）に沿って移動可能な一対の吊支部材９，９により上端が吊支される複数の間仕切パネル１，１，…から主に構成され、間仕切パネル１，１，…をレール３に沿って所定の位置まで手動で順次移動させ、間仕切パネル１，１，…を左右方向（進行方向）に一列に連接させることができるとともに、後述する上部閉塞部材１１及び下部閉塞部材１２がレール３及び床面Ｆに向けて押し付けられることにより天井面Ｒから床面Ｆに亘って室内空間を仕切ることができるようになっている。
【００１８】
図２に示されるように、間仕切パネル１は、前後に間隔をおいて対向配置される一対のガラスパネル４，４（パネル部材）と、ガラスパネル４，４を一体に保持する枠部材５（上部フレーム６（上部横フレーム）、縦フレーム７，７（パネル支持体）及び下部フレーム８）と、上部フレーム６及び下部フレーム８（枠部材５の上下端部）に収納される上部閉塞部材１１及び下部閉塞部材１２と、上部閉塞部材１１及び下部閉塞部材１２を進退動作させる進退機構（図示略）と、から主に構成される二重ガラスパネル構造を成し、パネル材として透明のガラスパネル４が使用されることにより、間仕切パネル１によって仕切られる室内空間の開放感を演出することができるとともに、強度や遮音性に優れている。尚、本実施例では、ガラスパネル４，４と枠部材５とが一体化されてパネル本体２０を構成している。
【００１９】
図３を用いて、先ずガラスパネル４の構造について説明する。ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２０】
次いで、枠部材５の構造について説明する。図２に示されるように、枠部材５は、ガラスパネル４，４の上端部に沿って取付けられる上部フレーム６と、上端部が上部フレーム６の左右両端部に接続される一対の縦フレーム７，７と、ガラスパネル４，４の下端部に沿って取付けられ、左右両端部が一対の縦フレーム７，７の下端部に接続される下部フレーム８と、から主に構成され、一対のガラスパネル４，４の上下左右端に沿って配置される、いわゆる四方枠形状を成している。尚、ガラスパネル４，４と枠部材５との接続については、後に詳述する。
【００２１】
図３に示されるように、上部フレーム６は、アルミ合金等の金属製の押出成形品であり、下面側の前後に長手方向に沿って設けられる凹溝部６１，６１（溝部）と、上面側の前後略中央部に長手方向に沿って設けられる上部チャンネル部６２と、を備えている。凹溝部６１は、側方から見て下向きコ字状を成し、ガラスパネル４，４の上端部を上方から嵌合している。上部チャンネル部６２は、側方から見て上向きコ字状を成し、上部閉塞部材１１を収容している。
【００２２】
また、図６（ａ）に示されるように、上部フレーム６は、左右方向に貫通して延びる溝６ｄを備え、上部フレーム６の左右両端部には、鋼製の芯部材６３，６３（左側のみ図示）が固定されている。詳しくは、溝６ｄを構成する上壁部６ｆには、その前後方向中央部に左右方向に沿ってスリット６ｇが形成されており、前後に分断されている。スリット６ｇの左右端部には、スリット６ｇの左右方向中央部よりも前後方向に幅広な幅広部６ｈが形成されている。また、芯部材６３は、左右方向に延びる基部６３ａと、該基部６３ａの左右方向略中央部には、上方向に突出し吊支部材９を接続可能な筒状の接続部６３ｂと、基部６３ａにおける接続部６３ｂよりも右側に設けられるネジ孔６３ｃ，６３ｃと、が設けられている。
【００２３】
左側の芯部材６３は、上部フレーム６の左端部から溝６ｄに挿入される。接続部６３ｂの外径は、スリット６ｇの幅広部６ｈの前後幅よりも小さく、スリット６ｇの左右方向中央部よりも大きいため、芯部材６３を溝６ｄに挿入したときに接続部６３ｂが幅広部６ｈの右端部に接触することで、溝６ｄへの挿入深度が位置決めされる。
【００２４】
また、溝６ｄへの挿入深度が位置決めされた芯部材６３は、上壁部６ｆに接触した状態でネジ孔６３ｃ，６３ｃを用いて図示しないネジにより上部フレーム６と固定されており、芯部材６３と上壁部６ｆとが上下に相対移動することが防止されている。尚、右側の芯部材６３も左側の芯部材６３と同様の形態で上部フレーム６に固定されている（図示略）。
【００２５】
図３に戻って、下部フレーム８は、アルミ合金等の金属製の押出成形品であり、上面側の前後に長手方向に沿って設けられる凹溝部８１，８１と、下面側の前後略中央部に長手方向に沿って設けられる下部チャンネル部８２と、を備えている。凹溝部８１は、側方から見て上向きコ字状を成し、ガラスパネル４，４の下端部を下方から嵌合している。下部チャンネル部８２は、側方から見て下向きコ字状を成し、下部閉塞部材１２を収容している。
【００２６】
図２に戻って、縦フレーム７は、間仕切パネル１の上下方向に延びる被覆部材７０と、間仕切パネル１の上下方向に延び被覆部材７０により被覆される芯部材７１と、から主に構成され、左右方向に厚みを有する板状を成し、ガラスパネル４，４の間に配設されている。被覆部材７０は、アルミ合金等の金属製の押出成形品であり、芯部材７１は、左右方向に厚みを有する鋼製の板材である。
【００２７】
また、縦フレーム７，７の側部には、それぞれ側部カバー部材７６，７７が取付けられている。隣接した間仕切パネル１，１が左右方向に連設される際には、側部カバー部材７６，７７同士が直接接触するため、ガラスパネル４，４の両側端面を保護できるようになっている。尚、側部カバー部材７６は、右側に凹む凹部７６ａを有し、側部カバー部材７７は、凹部７６ａに嵌合可能な凸部７７ａを有している。また、側部カバー部材７６の凹部７６ａにはゴム等の弾性部材７６ｂ（図７参照）が設けられており、隣接した間仕切パネル１，１が左右方向に連設される際には、側部カバー部材７６の凹部７６ａと側部カバー部材７７の凸部７７ａと嵌合により該弾性部材７６ｂが圧接されるため、隣接する間仕切パネル１，１間における密閉性及び遮音性が高められている。
【００２８】
次に、上部閉塞部材１１及び下部閉塞部材１２について説明する。図２〜図４に示されるように、上部閉塞部材１１は、アルミ合金等の金属製の押出成形品であり、上部フレーム６と略同一寸法で左右方向に延びており、側方から見て下向きコ字形状を成している。下部閉塞部材１２は、アルミ合金等の金属製の押出成形品であり、下部フレーム８と略同一寸法で左右方向に延びており、側方から見て上向きコ字形状を成している。
【００２９】
図１に戻って、上部閉塞部材１１は、上部フレーム６の上部チャンネル部６２に収納された状態において、パネル本体２０よりも左側（間仕切り位置への進行方向）に向かって左端部（先端部）が突出している。尚、下部閉塞部材１２も同様に、下部チャンネル部８２に収納された状態において、パネル本体２０よりも左側（間仕切り位置への進行方向）に向かって左端部（先端部）が突出している。
【００３０】
図３及び図４に示されるように、上部閉塞部材１１及び下部閉塞部材１２は、レール３及び床面Ｆに対して進退動作するようになっている。また、上部閉塞部材１１の上面側の前後及び下部閉塞部材１２の下面側の前後には、長手方向に沿って延びるゴム製等のシール部材１４が固着されており、特に図４に示されるように、上部閉塞部材１１及び下部閉塞部材１２がレール３及び床面Ｆに近づく方向に延出した状態にあっては、シール部材１４がそれぞれ上部閉塞部材１１及び下部閉塞部材１２とレール３の下面及び床面Ｆとの間で圧接され、密閉性及び遮音性が高められる。尚、上部閉塞部材１１及び下部閉塞部材１２を進退動作させる進退機構は、捻りコイルバネ、または捻りコイルバネ及びリンク部材を組み合わせたリンク機構等により構成されている。
【００３１】
次に、ガラスパネル４，４と枠部材５との接続について図５〜図８に基づいて説明する。図５〜図８に示されるように、縦フレーム７は、ガラスパネル４，４間に配置され、縦フレーム７を構成する被覆部材７０には、ガラスパネル４，４の対向面４ａ，４ａに沿って上下方向に延びる支持面７０ａ，７０ｂ（特に図７参照）が形成されており、ガラスパネル４，４と縦フレーム７とは、支持面７０ａ，７０ｂに沿って上下方向に延びる２条の透明な両面テープ７５，７５（接着材）により固着されている（特に図８参照）。具体的には、図７に示されるように、支持面７０ａ，７０ｂには、ガラスパネル４，４側に突出する凸条部７２，７２がそれぞれ設けられており、凸条部７２の突出側先端面７２ａには、上下方向に沿って両面テープ７５，７５が貼付されてガラスパネル４，４と縦フレーム７とが固着されている。尚、ガラスパネル４，４の上下両端部は、被覆部材７０よりも上下に突出している（図３及び図４参照）。
【００３２】
また、被覆部材７０により被覆される芯部材７１は、板状を成し、被覆部材７０よりも上下方向に長尺に構成され、その上下両端部が被覆部材７０よりも上下に突出している。芯部材７１の上端部は、上部フレーム６の上部チャンネル部６２よりも前後方向の寸法が小さく形成されており、上部フレーム６の前後方向略中央、且つ上部フレーム６の長手方向内側に挿入された状態（図６（ａ）及び図８参照）で、上部フレーム６に対して該上部フレーム６の長手方向に延びる一対のネジ１３，１３で固定されている。
【００３３】
具体的には、図６（ａ）に示されるように、上部フレーム６は、その左右端部において前後方向の端縁に左右方向に延びて突出する突出部６ａ，６ａを備えており、突出部６ａ，６ａの間に凹部６ｂが形成されており、上部フレーム６の左右端部は上面視において前後方向の略中央部が該上部フレーム６の長手方向に凹む略コ字状を成している。芯部材７１の上端部は、凹部６ｂ内に収容されており、凹部６ｂの底面を構成する上部フレーム６の端面６ｃに対してネジ１３，１３により固定されている。
【００３４】
さらに、凹部６ｂには、芯部材７１の外側から上面視略コ字状のカバー７８が挿入され、芯部材７１の上端部は、カバー７８を介し上部フレーム６に予め固定されている鋼製の芯部材６３に対して、上部フレーム６の長手方向に延びるネジ１５で固定されることより、上部フレーム６と縦フレーム７とが連結されている。芯部材６３は、上部フレーム６の長手方向に沿って形成される溝６ｄに挿入され、該上部フレーム６に固定されており、上方から上部閉塞部材１１を介して吊支部材９が接続されている（図６（ｂ）参照）。
【００３５】
また、図６（ｂ）に示されるように、芯部材７１は、凹部６ｂに収容される部分（芯部材７１の上端部）よりも前後方向に張り出す張出肩部７１ａ，７１ａが、芯部材７１の上端部よりも下方に設けられており、この張出肩部７１ａ，７１ａが上部フレーム６の突出部６ａ，６ａの下面に係止されることにより、上部フレーム６と縦フレーム７との位置決めがされている。尚、図６（ｂ）においては、説明の便宜上、カバー７８の構成の図示を省略している。さらに尚、下部フレーム８は、上部フレーム６と縦フレーム７との接続構造と略同一であるため、詳細な説明を省略する。
【００３６】
以上説明したように、本実施例の間仕切パネル１は、一対のガラスパネル４，４と、一対のガラスパネル４，４の上下方向に亘って延び、該ガラスパネル４，４の側端縁に沿って配置される一対の縦フレーム７，７と、ガラスパネル４，４の上端縁に沿って配置される上部フレーム６と、を備え、縦フレーム７，７の上端部が上部フレーム６の長手方向内側に支持されている。具体的には、芯部材７１の上端部は、凹部６ｂ内に収容されており、凹部６ｂを構成する上部フレーム６の端面６ｃ及び芯部材６３に対してネジ１３，１３及びネジ１５により固定されている。これによれば、縦フレーム７，７の上端部を上部フレーム６に対して左右方向（長手方向）から固定できるため、高い支持強度でガラスパネル４，４を支持できるとともに、上部フレーム６の突出部６ａ，６ａにより縦フレーム７，７の上端部が前後方向から見えないようにカバーされ、間仕切パネル１，１，…を連接したときに、隣接する上部フレーム６，６の長手方向の端部同士が連接することとなるので、間仕切パネル１，１，…に左右方向に連続性が生じ、美観に優れる。
【００３７】
また、縦フレーム７，７は、上部フレーム６に対して該上部フレーム６の長手方向に延びるネジ１３，１３で固定されているため、垂直方向にかかるガラスパネル４，４の荷重がネジ１３，１３に直交方向に作用するため支持強度が高い。
【００３８】
また、ガラスパネル４，４は、前後に間隔をおいて対向して一対配置されており、縦フレーム７，７は、左右方向に厚みを有する板状を成し、一対のガラスパネル４，４間に配置されている。これによれば、縦フレーム７，７の左右方向の寸法を小さくできるため、縦フレーム７，７とガラスパネル４，４とが前後に重畳する領域が小さくなり、ガラスパネル４，４の透光領域を広く見せることができる。
【００３９】
また、一対のガラスパネル４，４と縦フレーム７，７とは、上下方向に延びる各２条の両面テープ７５，７５により固着されているため、ガラスパネル４，４及び縦フレーム７，７に固定構造を別途設ける必要がなく、構造が簡素になるとともに、両面テープ７５，７５は透明であり、視認し難くなるので、ガラスパネル４，４と縦フレーム７，７との支持部分の見栄えを良くして間仕切パネル１の美観を高めることができる。また、両面テープ７５，７５は、縦方向に長くなっているため、ガラスパネル４，４を高い支持強度で支持することができる。
【００４０】
また、上部フレーム６及び下部フレーム８の長手方向には、一対のガラスパネル４，４の上下両端部をそれぞれ収容する凹溝部６１，６１及び凹溝部８１，８１が設けられているため、間仕切パネル１を移動させるときや間仕切パネル１，１，…を連接させるときの衝撃などにより、ガラスパネル４，４が相対的に離間または近接する方向に移動することを防止できる。そのため、両面テープ７５，７５からガラスパネル４，４を剥がす方向に力が働くことを抑制でき、ガラスパネル４，４の剥がれ落ちを防止でき耐震性も向上する。
【００４１】
また、枠部材５を構成する上部フレーム６と縦フレーム７との連結構造においては、剛性の高い鋼製の芯部材６３，７１がＬ字状に連結されることにより、上部フレーム６と縦フレーム７との接続部分における構造強度が確保されている。さらに、縦フレーム７，７により支持されるガラスパネル４，４の荷重を縦フレーム７，７の芯部材７１，７１から上部フレーム６の一対の芯部材６３，６３、さらに上部フレーム６の一対の芯部材６３，６３から吊支部材９，９に作用させている。すなわち、縦フレーム７，７と上部フレーム６とで実質的にガラスパネル４，４を支持しているので、縦フレーム７，７（芯部材７１，７１）の下端部と左右両端部が接続される下部フレーム８が一対のガラスパネル４，４の荷重を支持する必要がなくなり、下部フレーム８に必要な構造強度を小さくすることができるため、下部フレーム８を小さく構成することができる。
【００４２】
また、縦フレーム７，７において、芯部材７１，７１を鋼製等の剛性の高い素材により構成し、芯部材７１，７１を薄く構成したアルミ合金製の被覆部材７０，７０で被覆することにより、縦フレーム７，７を左右方向の厚みの薄い板状に構成しつつ、芯部材７１，７１により縦フレーム７，７の縦方向の強度を確保できる。
【００４３】
また、上部フレーム６においても、一対の芯部材６３，６３を鋼製等の剛性の高い素材により構成し、芯部材６３，６３を薄く構成したアルミ合金製の上部フレーム６で被覆することにより、上部フレーム６全体を小さく構成しつつ、芯部材６３，６３により上部フレーム６の構造強度を確保できる。
【００４４】
また、上部フレーム６に一体に取付けられる芯部材６３，６３に間仕切パネル１を吊支する吊支部材９，９が接続されることにより、芯部材６３，６３を被覆する上部フレーム６に必要な構造強度をより小さくすることができるため、上部フレーム６を薄く構成できる。
【００４５】
このように、枠部材５が上部フレーム６、一対の縦フレーム７，７及び下部フレーム８が一体に連結された四方枠形状として構成されることにより、枠部材５の構造強度を確保しながら、間仕切パネル１における枠部材５の大きさを抑えることができる。このように、間仕切パネル１における枠部材５を薄く形成することができるため、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【００４６】
尚、本実施例では、上部フレーム６に芯部材６３を予め固定した後、芯部材６３に縦フレーム７を固定する形態を例示したが、芯部材６３と縦フレーム７を固定した後、芯部材６３を上部フレーム６に固定するようにしてもよい。
【００４７】
また、間仕切パネルの変形例として、次のようなものもある。図９に示されるように、縦フレーム７００（パネル支持体）の上部に正面視略Ｌ字状の係止金具９０を取付け、パネル本体２０を構成した後、係止金具９０を上部フレーム６の凹部６ｂ内に挿入し、且つ係止金具９０の係止片部９１を上部フレーム６の前後方向に延びる壁部６ｅに係止させ、その後、壁部６ｅと係止片部９１とを上下方向に延びるネジ１６，１６により接続してもよい。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、前記実施例では、ガラスパネル４，４が前後に２枚設けられる間仕切パネル１について説明したが、これに限られず、間仕切パネルは、ガラスパネル４が１枚または３枚以上の複数設けられるものであってもよい。
【００５０】
また、前記実施例では、パネル部材としてガラスパネル４，４を利用する形態を例示したが、これに限られず、例えば、パネル部材は、透光性を有さない非透光パネル部材で構成されていてもよい。
【００５１】
また、前記実施例では、枠部材５を構成する一対の縦フレーム７，７に対して一対のガラスパネル４，４がそれぞれ両面テープ７５，７５により固着されて支持されるものについて説明したが、これに限らず、ガラスパネル４，４は、縦フレーム７，７だけでなく、上部フレーム６に対して両面テープにより固着されていてもよい。また、上部フレーム６及び縦フレーム７，７に対するガラスパネル４，４の固着は、両面テープによるもの限らず、接着剤や粘着剤が使用されてもよい。また、一対のガラスパネル４，４と縦フレーム７，７とを固着する粘着材は、上下方向に分割されていてもよい。
【００５２】
また、枠部材５は、四方枠形状のものに限らず、下部フレーム８がないものであってもよい。
【００５３】
また、上部フレーム６に一体に取付けられる芯部材６３，６３は、左右に分割されるものに限らず、上部フレーム６の長手方向に亘って一体に構成されていてもよい。
【００５４】
また、芯部材６３，７１は、鋼製のものに限らず、少なくとも上部フレーム６及び被覆部材７０を構成する素材（アルミ合金等）よりも剛性の高い素材から構成されていればよい。さらに、上部フレーム６及び被覆部材７０は、アルミ合金製以外の金属や木材及び合成樹脂等から構成されていてもよい。
【００５５】
また、上部フレーム６は、芯部材６３，６３が一体に取付けられていなくてもよく、この場合、縦フレーム７の芯部材７１に吊支部材９が直結される。
【符号の説明】
【００５６】
１                間仕切パネル
３                レール（誘導路）
４                ガラスパネル（透光パネル部材）
５                枠部材
６                上部フレーム（上部横フレーム）
６ａ              突出部
６ｂ              凹部
６ｃ              端面
６ｄ              溝
６ｅ              壁部
６ｆ              上壁部
６ｇ              スリット
６ｈ              幅広部
７                縦フレーム（パネル支持体）
８                下部フレーム
９                吊支部材
１０              移動間仕切装置
１１              上部閉塞部材
１２              下部閉塞部材
１３              ネジ
１５              ネジ
１６              ネジ
２０              パネル本体
６１              凹溝部（溝部）
６２              上部チャンネル部
６３              芯部材
７０              被覆部材
７０ａ，７０ｂ    支持面
７１              芯部材
７１ａ            張出肩部
７２              凸条部
７２ａ            突出側先端面
７５              両面テープ（接着材）
７６，７７        側部カバー部材
８１              凹溝部
８２              下部チャンネル部
９０              係止金具
９１              係止片部
７００            縦フレーム（パネル支持体）
Ｒ                天井面
Ｆ                床面
【図１】
2019135365.tif 000003
【図２】
2019135365.tif 000004
【図３】
2019135365.tif 000005
【図４】
2019135365.tif 000006
【図５】
2019135365.tif 000007
【図６】
2019135365.tif 000008
【図７】
2019135365.tif 000009
【図８】
2019135365.tif 000010
【図９】
2019135365.tif 000011